(57)【要約】【課題】過加圧圧迫を生じさせることなく、穿刺部位を効果的に止血することが可能な止血器具を提供する【解決手段】本発明に係る止血器具１００は、被検者の穿刺部位を止血するためのものであって、第１の止血部材２０ａと、第１の止血部材に対して相対的に接近離反可能であり、第１の止血部材に対する接近に伴って被検者の穿刺部位の周辺における皮膚を第１の止血部材との間で挟み込むことにより穿刺部位を止血する第２の止血部材２０ｂと、を有する。【選択図】図３
2019176975.tif 000002
【特許請求の範囲】
【請求項１】
被検者の穿刺部位を止血するための止血器具であって、
第１の止血部材と、
前記第１の止血部材に対して相対的に接近離反可能であり、前記第１の止血部材に対する接近に伴って前記被検者の前記穿刺部位周辺における皮膚を前記第１の止血部材との間で挟み込む第２の止血部材と、を有する止血器具。
【請求項２】
前記第１の止血部材及び前記第２の止血部材は、回転可能なローラーを備える、請求項１に記載の止血器具。
【請求項３】
前記ローラーの外側から皮膚を挟み込むアーム部をさらに有する、請求項２に記載の止血器具。
【請求項４】
前記ローラーは、周方向の少なくとも一部に径方向に突出する凸部を備える、請求項２または請求項３に記載の止血器具。
【請求項５】
前記第１の止血部材と前記第２の止血部材を前記被検者の手に固定する固定部をさらに有する、請求項１〜４のいずれか１項に記載の止血器具。
【請求項６】
前記固定部は、前記被検者の手に取り付け可能な帯状の部材を備える、請求項５に記載の止血器具。
【請求項７】
前記固定部は、前記被検者の手を挟む込む挟持部材を備える、請求項５に記載の止血器具。
【請求項８】
前記固定部は、前記第１の止血部材及び前記第２の止血部材が配置された部分と反対側に突起部を備える、請求項５〜７のいずれか１項に記載の止血器具。
【発明の詳細な説明】
【技術分野】
【０００１】
本発明は、止血器具に関する。
【背景技術】
【０００２】
従来から、患者の腕の血管に形成した穿刺部位を介して各種の医療用長尺体（例えば、イントロデューサー）を血管内に導入し、病変部位に対する処置や治療を行う手技が知られている。このような手技を行った場合、術者等は、穿刺部位から医療用長尺体を抜去する際に穿刺部位の止血を行う。
【０００３】
穿刺部位の止血に使用される止血器具として、腕等の肢体に巻き付けるための帯体と、帯体を肢体に巻き付けた状態で固定する固定手段と、帯体に連結されており、流体を注入することにより拡張して、穿刺部位を圧迫する押圧部と、を備えたものが知られている（特許文献１参照）。
【先行技術文献】
【特許文献】
【０００４】
【特許文献１】特開２００８−１１９５１７号公報
【発明の概要】
【発明が解決しようとする課題】
【０００５】
特許文献１に記載された止血器具を使用した止血方法では、拡張可能なバルーンを利用して穿刺部位周辺に圧迫力を付与する。このような止血方法において、圧迫力が過剰に大きくなる過加圧圧迫が実施されてしまうと、動脈閉塞が生じる可能性があるため、圧迫力を適切に調整することが求められる。また、バルーンやゲル等を利用した止血方法では、圧迫範囲が広くなるため、穿刺部位に対して局所的に圧迫力を付与することができず、止血効果を高めることが難しい。
【０００６】
そこで本発明は、過加圧圧迫を生じさせることなく、穿刺部位を効果的に止血することが可能な止血器具を提供することを目的とする。
【課題を解決するための手段】
【０００７】
本発明に係る止血器具は、被検者の穿刺部位を止血するための止血器具であって、第１の止血部材と、前記第１の止血部材に対して相対的に接近離反可能であり、前記第１の止血部材に対する接近に伴って前記被検者の前記穿刺部位周辺における皮膚を前記第１の止血部材との間で挟み込む第２の止血部材と、を有する。
【発明の効果】
【０００８】
本発明に係る止血器具によれば、第１の止血部材と第２の止血部材によって被検者の穿刺部位周辺における皮膚を挟み込むことによって、穿刺部位を止血することができる。そのため、止血器具は、過加圧圧迫を生じさせることなく、穿刺部位を効果的に止血することができる。
【図面の簡単な説明】
【０００９】
【図１】本発明の第１実施形態に係る止血器具を被検者の手に装着した様子を示す図である。
【図２】図１に示す止血器具に係る第１の止血部材及び第２の止血部材を示す平面図である。
【図３】図３（Ａ）〜図３（Ｃ）は第１の止血部材と第２の止血部材によって被検者の穿刺部位を止血する様子を模式的に示す断面図である。
【図４】本発明の第２実施形態に係る止血器具を被検者の手に装着した様子を示す図である。
【図５】図４に示す止血器具の側面図である。
【図６】図６（Ａ）、図６（Ｂ）は図５に示す止血器具の突起部の一例を示す図である。
【図７】第２実施形態に係る止血器具の変形例１を示す斜視図である。
【図８】第２実施形態に係る止血器具の変形例２を示す側面図である。
【図９】本発明の第３実施形態に係る止血器具を示す斜視図である。
【図１０】図９に示す止血器具を用いて被検者の穿刺部位を止血する様子を模式的に示す断面図である。
【図１１】図１１（Ａ）〜図１１（Ｃ）は本発明の第４実施形態に係る止血器具の動作例を簡略的に示す斜視図である。
【図１２】図１２（Ａ）〜図１２（Ｃ）は第４実施形態の変形例に係る止血器具の動作例を簡略的に示す斜視図である。
【図１３】図１３（Ａ）〜図１３（Ｃ）は本発明の第５実施形態に係る止血器具の動作例を簡略的に示す斜視図である。
【図１４】本発明に係る止血器具を使用した止血方法の一例を模式的に示す断面図である。
【図１５】本発明に係る止血器具を使用した止血方法の一例を模式的に示す断面図である。
【図１６】図１６（Ａ）、図１６（Ｂ）は本発明に係る止血器具を使用した止血方法の一例を模式的に示す断面図である。
【発明を実施するための形態】
【００１０】
以下、添付した図面を参照しながら、本発明の実施形態を説明する。なお、以下の記載は特許請求の範囲に記載される技術的範囲や用語の意義を限定するものではない。また、図面の寸法比率は説明の都合上誇張されており、実際の比率とは異なる場合がある。
【００１１】
（第１実施形態）
図１〜図３は、本発明の第１実施形態に係る止血器具１００の説明に供する図である。
【００１２】
本実施形態に係る止血器具１００は、例えば、治療・検査等を行うカテーテル等の治療デバイスを被検者の血管内に挿入する目的で、手Ｈの甲Ｈｂ側を走行する手掌動脈（深掌動脈）の橈骨動脈（例えば、スナッフボックス周辺又はスナッフボックスよりも指先側を走行する遠位橈骨動脈）に形成された穿刺部位ｔ１（止血部位）に留置していたイントロデューサーを抜去した後、その穿刺部位ｔ１を止血するために使用できる。なお、穿刺部位ｔ１を形成する位置は、左手、右手、手の甲側、掌側等のいずれの部位であってもよい。また、止血器具１００の用途は、手Ｈに形成した穿刺部位ｔ１の止血のみに限定されることはなく、例えば、橈骨動脈に医療デバイスを挿入する目的で被検者の腕に形成された穿刺部位の止血に使用することも可能である。
【００１３】
止血器具１００は、図１、図２を参照して概説すれば、止血部１０と、固定部６０と、を有する。以下、詳述する。
【００１４】
（止血部）
止血部１０は、図２等に示すように、第１の止血部材２０ａと、第２の止血部材２０ｂと、軸支持部材３０、４０と、板状部材５０と、を備える。
【００１５】
（止血部材）
第１の止血部材２０ａ及び第２の止血部材２０ｂは、図３（Ａ）〜図３（Ｃ）に示すように、互いに相対的に接近離反可能に構成している。第２の止血部材２０ｂは、第１の止血部材２０ａに対する接近に伴って被検者の穿刺部位ｔ１の周辺における皮膚を、第１の止血部材２０ａとの間で挟み込む。これによって、穿刺部位ｔ１が止血される。第１の止血部材２０ａ及び第２の止血部材２０ｂは、回転可能なローラーで構成している。第１の止血部材２０ａ及び第２の止血部材２０ｂは、例えば、ゴム、エラストマー等の比較的な軟質な材料、又は金属若しくはプラスチック等の比較的硬質な材料で構成することができる。目的に合わせて例示すれば、挟み込んだ際の痛みを抑えつつ、滑らずに皮膚を固定する目的の場合、ローラの表面はゴム状素材等で構成することができる。また、皮膚の固定力を高める目的の場合、硬いプラスチックや金属等の硬質な材料で構成することができる。
【００１６】
軸支持部材３０は、図３（Ａ）に示すように第１の止血部材２０ａを回転可能に支持する。軸支持部材４０は、第２の止血部材２０ｂを回転可能に支持する。各軸支持部材３０、４０は、図２に示すように、板状部材５０に形成された孔５０ａに移動可能に取り付けている。軸支持部材３０と軸支持部材４０が相対的に接近離反することにより、軸支持部材３０に支持された第１の止血部材２０ａと軸支持部材４０に支持された第２の止血部材２０ｂとが相対的に接近離反する。
【００１７】
板状部材５０は、固定部６０に取り付けている。板状部材５０は、図２に示すように、平面視において略矩形状を有している。
【００１８】
各軸支持部材３０、４０は、第１の止血部材２０ａ及び第２の止血部材２０ｂが穿刺部位ｔ１周辺の皮膚を挟み込んだ状態で、板状部材５０に対する位置が固定できるように構成されている。各軸支持部材３０、４０を板状部材５０に対して固定するための固定機構は、例えば、摩擦力を利用する構造、溝による嵌合構造、ネジ込みで移動および固定させる構造等により構成することができる。
【００１９】
（固定部）
固定部６０は、第１の止血部材２０ａと第２の止血部材２０ｂを被検者の手Ｈに固定する。固定部６０は、図１に示すように被検者の手Ｈに取り付け可能な帯状部材で構成している。固定部６０は、手Ｈの外周を略一周するように巻き付けられる。固定部６０には、例えば、固定部６０を固定するための面ファスナーを備えることができる。また、固定部６０は、被検者の皮膚に貼り付けて固定可能な粘着層等を有していてもよい。また、固定部６０は、帯状部材に限定されず、手Ｈの任意の指を覆うように構成されたグローブ構造であってもよい。
【００２０】
（使用例）
次に本実施形態に係る止血器具１００の使用例について説明する。
【００２１】
医師等の術者は、被験者の手の甲Ｈｂに穿刺部位ｔ１が形成され、かつ、穿刺部位ｔ１にイントロデューサーシース（図示省略）が留置された状態で、被検者の手Ｈに固定部６０を巻き付けるように取り付ける（図１を参照）。
【００２２】
術者は、イントロデューサーシースを抜去した後、図３（Ａ）に示すように、第１の止血部材２０ａと第２の止血部材２０ｂを回転させながら、相対的に接近させる。これにより、術者は、図３（Ｂ）、図３（Ｃ）に示すように、穿刺部位ｔ１周辺の皮膚を、第１の止血部材２０ａと第２の止血部材２０ｂによって手繰り寄せるようにして挟み込むことができる。なお、術者は、イントロデューサーシースを抜去する前に、各止血部材２０ａ、２０ｂを移動させてもよい。
【００２３】
術者は、各止血部材２０ａ、２０ｂの間で穿刺部位ｔ１周辺の皮膚を挟み込むことにより、穿刺部位ｔ１に圧迫力を極力付与することなく、穿刺部位ｔ１を閉じするようにして局所的に止血することができる。
【００２４】
術者は、穿刺部位ｔ１の止血が完了した後、各止血部材２０ａ、２０ｂを相対的に離反させて、穿刺部位ｔ１周辺の皮膚の挟み込みを解除する。
【００２５】
以上、説明したように本実施形態に係る止血器具１００は、第１の止血部材２０ａと、第１の止血部材２０ａに対して相対的に接近離反可能であり、第１の止血部材２０ａに対する接近に伴って被検者の穿刺部位ｔ１周辺における皮膚を第１の止血部材２０ａとの間で挟み込む第２の止血部材２０ｂと、を有する。
【００２６】
止血器具１００は、第１の止血部材２０ａと第２の止血部材２０ｂによって被検者の穿刺部位ｔ１周辺の皮膚を挟み込むことによって、穿刺部位ｔ１を止血することができる。そのため、止血器具１００は、過加圧圧迫を生じさせることなく、穿刺部位ｔ１を効果的に止血することができる。止血器具１００を手掌動脈付近で使用する場合、遠位橈骨動脈の皮膚は伸びやすく、血管走行が比較的浅い位置に走行している。そのため、止血器具１００を構成する第１の止血部材２０ａ及び第２の止血部材２０ｂによる挟み込みによって該当部位を効果的に止血することができる。
【００２７】
また、第１の止血部材２０ａ及び第２の止血部材２０ｂは、回転可能なローラーを備えるように構成している。そのため、穿刺部位ｔ１周辺の皮膚をつまむように手繰り寄せて挟み込み、穿刺部位ｔ１を局所的に止血することが可能になる。
【００２８】
また、止血器具１００は、第１の止血部材２０ａと第２の止血部材２０ｂを被検者の手Ｈに固定する固定部６０を備えるように構成している。これにより、止血器具１００を被検者の手Ｈに固定した状態を容易に維持することが可能になる。
【００２９】
また、固定部６０は、被検者の手Ｈに取り付け可能な帯状部材を備えるように構成している。そのため、止血器具１００の手Ｈへの取り付けを容易に行うことが可能になる。
【００３０】
（第２実施形態）
図４〜図６は第２実施形態に係る止血器具１００ａの説明に供する図である。第１実施形態では止血器具１００の固定部６０が帯状部材で構成されていたが、固定部は、例えば、下記のように構成することもできる。
【００３１】
止血器具１００ａは、図４から図６に示すように、止血部１０ａと、固定部６０ａと、を有する。なお、前述した実施形態において説明した構成と実質的に同一のものについては、その説明を省略する。
【００３２】
固定部６０ａは、被検者の手Ｈを挟み込むことにより、手Ｈに止血器具１００ａを固定する挟持部材により構成している。本実施形態では、固定部６０ａは、固定部６０ａの構成材料が持つ弾性力により手Ｈに対して固定力を付与するクリップ構造を有している。
【００３３】
固定部６０ａは、図５に示すように、略Ｕ字の断面形状を有する。各止血部材２０ａ、２０ｂは、固定部６０ａの端部周辺に配置している。固定部６０ａは、第１挟持部６１ａと第２挟持部６２ａとの間で手Ｈを、手Ｈの厚み方向に挟み込むことにより、手Ｈに対して固定される。
【００３４】
固定部６０ａにおいて、各止血部材２０ａ、２０ｂと対向する位置には、各止血部材２０ａ、２０ｂ側に凸状に突出した突起部８０を配置している。
【００３５】
突起部８０は、各止血部材２０ａ、２０ｂにより手の甲Ｈｂ側で止血が行われている間、掌側から押圧力を付与する。これにより、止血器具１００ａが手Ｈに固定した状態で位置ずれが生じるのを防止できる。
【００３６】
突起部８０は、固定部６０ａに対して着脱可能に構成することが可能である。例えば、図６に示すように、大きさの異なる複数の突起部８０ａ、８０ｂを手技の前に準備しておき、被検者の手Ｈの大きさや形等に応じて突起部８０ａ、８０ｂを交換することができる。これにより、被検者の手Ｈの大きさに依らずに、止血器具１００ａを患者の手Ｈに確実に固定することが可能になる。各突起部８０ａ、８０ｂは、例えば、固定部６０ａに形成された孔部（図示省略）に固定用のシャフト部８１を螺合や嵌合させることで接続することができる。
【００３７】
なお、突起部８０は、前述した帯状部材で構成された固定部６０（図１を参照）に取り付けることも可能である。
【００３８】
以上、説明したように本実施形態に係る止血器具１００ａは、固定部６０ａが手Ｈを挟み込むことで固定を行う挟持部材で構成されている。そのため、止血器具１００ａを被検者の手Ｈに容易に装着して固定した状態とすることができる。また、固定部６０ａは、帯状部材のように手Ｈの外周全体に沿って配置されないため、止血を行っている最中の被検者の手Ｈの自由度が高くなる。また、グローブのように手Ｈ全体を覆うように配置されないため、手Ｈが蒸れるなどにより被検者に不快感を与えるのを防止することができる。
【００３９】
また、固定部６０ａは、第１の止血部材２０ａ及び第２の止血部材２０ｂが配置された部分と反対側に突起部８０を備えるように構成している。そのため、第１の止血部材２０ａと第２の止血部材２０ｂにより止血を行っている最中に、止血器具１００ａを被検者の手Ｈに固定した状態を安定的に維持することが可能になる。
【００４０】
図７は、第２実施形態の変形例１に係る止血器具１００ｂを示す図である。図８は、第２実施形態の変形例２に係る止血器具１００ｃを示す図である。
【００４１】
第１変形例の止血器具１００ｂが備える固定部６０ｂは、図７に示すように、固定部６０ｂの端部の外方側に第１の止血部材２０ｃおよび第２の止血部材２０ｄが突出するように配置されている。図７では、第１の止血部材２０ａと第２の止血部材２０ｂとが片持ちで支持されて、かつ、矢印ａ１−ａ２で示す方向に相対的に接近離反可能に構成されている。
【００４２】
第２変形例の止血器具１００ｃが備える固定部６０ｂは、図８に示すように、術者等が把持部７０ａ、７０ｂを把持して、軸止された第１挟持部６１ｃおよび第２挟持部６２ｃを接近させることにより、止血器具１００ｃを手Ｈに取り付けることができるように構成されている。術者等が把持部７０ａ、７０ｂを把持している間、手Ｈに対する止血器具１００ｃの固定を維持することが可能になる。
【００４３】
（第３実施形態）
図９、図１０は第３実施形態に係る止血器具１００ｄの説明に供する図である。
【００４４】
止血器具１００ｄの止血部１０ａは、図９に示すように、第１の止血部材２０ａと、第２の止血部材２０ｂと、軸支持部材３０、４０と、板状部材５０ｂと、アーム部９０と、を備える。図示省略するが、止血部１０ａは、固定部６０（図１を参照）に取り付けている。
【００４５】
板状部材５０ｂは、軸支持部材３０、４０を移動可能に取り付けるとともに図９に示すように、円筒状部材９１を介して取り付けられたアーム部９０を有している。
【００４６】
アーム部９０は、第１の止血部材２０ａ及び第２の止血部材２０ｂの外側から止血部位ｔ１周辺の皮膚を挟み込む。アーム部９０は、本実施形態において、湾曲した平板状の部材で構成している。なお、アーム部９０の具体的な形状や構成材料等は特に限定されない。
【００４７】
アーム部９０は、図１０に示すように、第１の止血部材２０ａ及び第２の止血部材２０ｂが手繰り寄せた穿刺部位ｔ１周辺の皮膚を、各止血部材２０ａ、２０ｂの外側から挟み込む。そのため、止血器具１００ｄは、各止血部材２０ａ、２０ｂとともにアーム部９０で穿刺部位ｔ１周辺の皮膚を局所的に挟持することができるため、止血効果を高めることができる。図１０に示すようにアーム部９０は、血管壁の孔を塞ぐように挟み込みを行う。そのため、止血をより迅速に行うことができる。
【００４８】
（第４実施形態）
図１１（Ａ）〜図１１（Ｃ）は、本発明の第４実施形態に係る止血器具の一部を概略的に示す図である。
【００４９】
第４実施形態に係る止血器具では、ローラーにより構成された第１の止血部材２０ａに凸部２１が形成されている。また、ローラーにより構成された第２の止血部材２０ｂにも凸部２１が形成されている。凸部２１は、各止血部材２０ａ、２０ｂの周方向の一部に形成されており、各止血部材２０ａ、２０ｂの径方向の外方に突出している。
【００５０】
凸部２１は、各止血部材２０ａ、２０ｂの長手方向全体に沿って形成している。また、凸部２１は、各止血部材２０ａ、２０ｂと一体的に形成している。
【００５１】
図１１（Ａ）に示すように、第４実施形態に係る止血器具は、穿刺部位（図示省略）を挟むように第１の止血部材２０ａと第２の止血部材２０ｂとを配置する。その際に、第１の止血部材２０ａの凸部２１と第２の止血部材２０ｂの凸部２１は、図１１（Ａ）、に示すように外側を向くように配置する。そして、図１１（Ｂ）に示すように、第１の止血部材２０ａと第２の止血部材２０ｂを回転させ、凸部２１により穿刺部位周辺の皮膚を挟み込む。止血器具は、第１の止血部材２０ａの凸部２１と第２の止血部材２０ｂの凸部２１とによって、穿刺部位周辺の皮膚を狭い範囲で挟持する。したがって、本実施形態に係る止血器具は、止血効果を高めることができる。
【００５２】
図１２（Ａ）〜図１２（Ｃ）は第４実施形態の変形例に係る止血器具を示す図である。凸部２１は、各止血部材２０ａ、２０ｂの長手方向の全体に亘って形成されていなくてもよい。凸部２１は、本変形例に示すように、例えば、各止血部材２０ａ、２０ｂの長手方向の一部に形成することも可能である。このように凸部２１を設けることにより、より狭い範囲に対して局所的に挟持力を付与することが可能になる。したがって、止血器具による止血効果を高めることが可能になる。また、凸部２１によって血管壁の孔を塞ぐように挟み込みを行うことによって、上記と同様に止血をより迅速に行なうことができる。また、止血が不要な部位に対して挟持力が作用するのを防止することも可能になる。
【００５３】
（第５実施形態）
図１３（Ａ）〜図１３（Ｃ）は、本発明の第５実施形態に係る止血器具１００ｅの説明に供する図である。
【００５４】
本実施形態に係る止血器具１００ｅは、図１３（Ａ）に示すように、止血部１０ｃを有する。止血部１０ｃは、第１の止血部材２０ｇと、第２の止血部材２０ｈと、第３の止血部材２０ｊと、支持部材３０ａと、各止血部材２０ｇ、２０ｈ、２０ｊの相対的な接近離反を操作するための操作部材４０ａと、を備える。
【００５５】
第１の止血部材２０ｇ、第２の止血部材２０ｈ、及び第３の止血部材２０ｊは、図１３（Ａ）〜図１３（Ｃ）に示すように、一方向ではなく放射方向に移動可能に構成している。これにより、穿刺部位（図示省略）周辺に位置する皮膚を手繰り寄せて挟み込み、局所的に穿刺部位を止血する。第１の止血部材２０ｇ、第２の止血部材２０ｈ、及び第３の止血部材２０ｊは、本実施形態において略球状に形成しているが、具体的な形状は特に限定されない。また、第１の止血部材２０ｇ、第２の止血部材２０ｈ、及び第３の止血部材２０ｊの構成材料は特に限定されないが、例えば、ゴム等の樹脂材料を挙げることができる。
【００５６】
支持部材３０ａは、第１の止血部材２０ｇ、第２の止血部材２０ｈ、及び第３の止血部材２０ｊを支持する屈曲した板状の部材で構成している。
【００５７】
各止血部材２０ｇ、２０ｈ、２０ｊは紐状の操作部材４０ａに接続している。操作部材４０ａは、把持等されて引っ張られる操作がなされると、各止血部材２０ｇ、２０ｈ、２０ｊを相対的に接近させる。また、操作部材４０ａは、上記の引っ張りが解除されると、各止血部材２０ｇ、２０ｈ、２０ｊを相対的に離反させる。術者が操作部材４０ａを操作して各止血部材２０ｇ、２０ｈ、２０ｊを接近させると、各止血部材２０ｇ、２０ｈ、２０ｊが接近した際の中心位置付近の皮膚が挟み込まれる。これにより、穿刺部位を局所的に止血することが可能になる。
【００５８】
以上、本変形で説明したように、止血器具に備えられる止血部材の個数は、２つに限定されることはない。また、止血部材による皮膚の挟み込む方法は、ローラーによる方法に限定されない。
【００５９】
＜他の止血方法＞
本発明に係る止血器具を使用した止血方法では、例えば、止血器具とともに、塞栓材等を併用して行うことができる。以下に、止血方法の一例を説明する。
【００６０】
例えば、図１４に示すように、塞栓材ｋを吐出可能な塗布具Ｎを使用し、穿刺部位ｔに塞栓材ｋを配置した後、止血器具１００を使用して止血を行うことが可能である。この場合、塞栓材ｋによって血管壁の孔を塞ぐことによって上記と同様に止血をより迅速に行なうことができる。
【００６１】
また、例えば、図１５に示すように、イントロデューサーシースＣを血管に挿入した状態で、イントロデューサーシースＣを抜去する前に、イントロデューサーシースＣにガイドワイヤＧを挿入し、ガイドワイヤＧで塞栓材ｋを押し込んで血管壁に配置することも可能である。イントロデューサーシースＣは、塞栓材ｋを配置した後、抜去する。
【００６２】
また、例えば、図１６（Ａ）に示すように、イントロデューサーシースＣを抜去する前に、塞栓材ｋが先端に塗布された可撓性を備える棒状部材ＭをイントロデューサーシースＣに挿入し、図１６（Ｂ）示すように、血管壁に塞栓材ｋを付着させることも可能である。塞栓材ｋを配置する際、棒状部材Ｍを回転等することにより、塞栓材ｋを血管壁に好適に付着させることができる。イントロデューサーシースＣは、塞栓材ｋを配置した後、抜去する。
【００６３】
術者は、上述した各方法により塞栓材ｋを塗布した後、止血器具を使用した止血を行うことにより、止血効果を効果的に高めることが可能になる。図１５や図１６（Ａ）、図１６（Ｂ）に示すような方法によっても塞栓材ｋを用いて血管壁の孔を塞ぐことで止血を迅速に行なうことができる。なお、塞栓材ｋの材質、性状（液状、ゲル状等）等は特に限定されない。例えば、塞栓材ｋとしては、生体適合性を備える公知の接着剤等を利用することが可能である。
【００６４】
以上、実施形態を通じて本発明に係る止血器具を説明したが、本発明は説明した各構成のみに限定されるものでなく、特許請求の範囲の記載に基づいて適宜変更することが可能である。
【符号の説明】
【００６５】
１００、１００ａ、１００ｂ、１００ｃ、１００ｄ、１００ｅ  止血器具、
１０、１０ａ、１０ｂ、１０ｃ  止血部、
２０ａ、２０ｃ、２０ｇ  第１の止血部材、
２０ｂ、２０ｄ、２０ｈ  第２の止血部材、
２０ｊ  第３の止血部材、
２１  凸部、
６０  固定部（帯状部材）、
６０ａ  固定部（挟持部材）、
８０、８０ａ、８０ｂ  突起部、
９０  アーム部、
ｔ１  穿刺部位。
【図１】
2019176975.tif 000003
【図２】
2019176975.tif 000004
【図３】
2019176975.tif 000005
【図４】
2019176975.tif 000006
【図５】
2019176975.tif 000007
【図６】
2019176975.tif 000008
【図７】
2019176975.tif 000009
【図８】
2019176975.tif 000010
【図９】
2019176975.tif 000011
【図１０】
2019176975.tif 000012
【図１１】
2019176975.tif 000013
【図１２】
2019176975.tif 000014
【図１３】
2019176975.tif 000015
【図１４】
2019176975.tif 000016
【図１５】
2019176975.tif 000017
【図１６】
2019176975.tif 000018